(57)【要約】【課題】  重りの材料として鉛に代わる代替材料を用いながら、重りの取付が簡単で、しかもタッチ重さを容易に調整することができる鍵盤を提供する。【解決手段】  埋設孔９を形成した揺動自在の鍵盤本体２と、この鍵盤本体２の埋設孔９に着脱自在にはめ込まれ、鍵盤本体２に重さを付与する重り４と、を備え、この重り４は、粉状のタングステンとプラスチックとを含む、鉛以外の複数種類の材料を、所定の比重を有するように所定の配合割合で互いにブレンドした複合材料１２を含む。【選択図】  図３
2006126860.tif 000002
【特許請求の範囲】
【請求項１】
埋設孔を形成した揺動自在の鍵盤本体と、
この鍵盤本体の前記埋設孔にはめ込まれ、前記鍵盤本体に重さを付与する重りと、を備え、
この重りは、粉状のタングステンとプラスチックとを含む、鉛以外の複数種類の材料を、所定の比重を有するように所定の配合割合で互いにブレンドした複合材料を含むことを特徴とする鍵盤。
【請求項２】
前記複合材料は、前記鉛以外の複数種類の材料を、互いに異なる比重を有するように互いに異なる配合割合でブレンドすることにより構成されるとともに、互いに同じサイズおよび形状を有する複数種類の複合材料の１つで構成されていることを特徴とする、請求項１に記載の鍵盤。
【発明の詳細な説明】
【技術分野】
【０００１】
本発明は、ピアノなどの鍵盤に関し、特に所望のタッチ重さを得るために重りを取り付けた鍵盤に関する。
【背景技術】
【０００２】
図４は、従来のグランドピアノの鍵盤（白鍵）を示している。この鍵盤５１は、断面矩形の細長い木製の鍵盤本体５２と、その前部に取り付けられた白鍵カバー５３と、鍵盤本体５２の側面に取り付けられた複数の（この例では３個の）重り５４などを備えている。鍵盤本体５２は、その中央部において、バランスピン（図示せず）に揺動自在に支持されるとともに、バランスピンよりも後ろ側の部分に、アクション（図示せず）が載置されている。
【０００３】
重り５４は、所要の鍵盤のタッチ重さ（静荷重）を得るために取り付けられるものであり、円柱状に成形した所定サイズの鉛で構成されている。一方、鍵盤本体５２の前部の所定位置には、所定サイズの丸孔から成る３つの埋設孔５５が側方に貫通して形成されており、重り５４は、これらの埋設孔５５に挿入した後、かしめることによって、鍵盤本体５２に取り付けられている。このように重り５４として鉛が採用されているのは、金属の中でも比重が高い（約１１．３）こと、安価であることや、柔軟性および延性に富み、上記のような加工を行いやすいことなどによる。
【０００４】
また、上記のように重り５４を取り付けた後、鍵盤間のタッチ重さのばらつきを無くしたり、演奏者の好みに合わせたりすることを目的として、タッチ重さを調整することも一般に行われている。このタッチ重さの調整は、重り５４がかしめにより取り付けられていて、その取外しが困難であることから、タッチ重さを軽くしたい場合には、重り５４の側面を切削することによって行われる。一方、タッチ重さを重くしたい場合には、同じ理由から、図４に破線で示すように、あらかじめ用意した別の鉛製の調整用重り５６を少なくとも１個、鍵盤本体５２に追加して取り付けられる。この場合、調整用重り５６によるバランスピン回りのモーメントが、付加すべきタッチ重さに応じて適切に得られるよう、調整用重り５６の取付位置をまず決定し、決定した鍵盤本体５２の取付位置に埋設孔５７を新たに形成した後、調整用重り５６をかしめで取り付けるという作業が、鍵盤５１ごとに行われる。
【０００５】
上記従来の鍵盤５１では、前述した理由から、重り５４の材料として鉛が用いられている。しかし、鉛は、有害物質であるため、鍵盤の重りにもできるだけ使用しないことが望ましく、鉛に代わる代替材料が求められている。また、従来の鍵盤５１では、重り５４を各鍵盤本体５２にかしめにより取り付ける必要があるため、この取付作業自体が煩雑である。また、かしめにより取り付けた重り５４の取外しが困難であるとともに、その比重が一定であるため、前述したように、タッチ重さを調整するのに、重り５４の側面を切削したり、調整用重り５６の取付位置を決定しながら、鍵盤本体５２に埋設孔５７を形成し、調整用重り５６を取り付けるという作業を、鍵盤５１ごとに行わなければならない。その結果、調整作業に非常に手間がかかり、製造コストを押し上げてしまう。さらに、調整用重り５６を取り付ける場合には、本来の埋設孔５５に加えて、埋設孔５７を鍵盤本体５２に側方に貫通して形成しなければならず、鍵盤本体５２の強度が不足がちになるという問題もある。
【０００６】
本発明は、このような課題を解決するためになされたものであり、重りの材料として鉛に代わる代替材料を用いながら、重りの取付が簡単で、しかもタッチ重さを容易に調整することができる鍵盤を提供することを目的としている。
【発明の開示】
【課題を解決するための手段】
【０００７】
この目的を達成するため、本発明の鍵盤は、埋設孔を形成した揺動自在の鍵盤本体と、この鍵盤本体の埋設孔に着脱自在にはめ込まれ、鍵盤本体に重さを付与する重りと、を備え、この重りは、粉状のタングステンとプラスチックとを含む、鉛以外の複数種類の材料を、所定の比重を有するように所定の配合割合で互いにブレンドした複合材料を含むことを特徴としている。
【０００８】
この鍵盤では、その重りが、粉状のタングステンとプラスチックとを含む、鉛以外の複数種類の材料を、所定の比重を有するように所定の配合割合で互いにブレンドした複合材料を含んでおり、鍵盤本体に形成した埋設孔に着脱自在にはめ込まれることによって、鍵盤本体に重さを付与する。このように、重りを鍵盤本体の埋設孔への単なるはめ込みによって容易に取り付けることができ、従来のかしめの場合よりも、重りの取付作業を簡素化できることで、製造コストを削減することができる。
【０００９】
また、複合材料を構成するタングステンは、無害であるとともに、比重が非常に大きい（約１９．３）ので、プラスチックとのブレンドにより鉛と同等の比重を含む必要な範囲の比重を有する複合材料を容易に得ることができる。したがって、上記構成の複合材料を、従来の鉛に代わる重りの代替材料として用いることができる。
【００１０】
この場合、複合材料は、鉛以外の複数種類の材料を、互いに異なる比重を有するように互いに異なる配合割合でブレンドした複合材料でそれぞれ構成されるとともに、互いに同じサイズおよび形状を有する複数種類の複合材料の１つで構成されていることが好ましい。
【００１１】
この構成では、重りに含まれる複合材料が複数種類の複合材料の１つで構成されており、これらの複数種類の複合材料は、サイズおよび形状が互いに同じであるとともに、その配合割合が異なることで、互いに異なる比重、したがって互いに異なる重さを有している。したがって、重さが異なる複数種類の複合材料の中から、所望のタッチ重さを得るのに最適な重さを有するものを選択し、鍵盤本体に取り付けることによって、タッチ重さの調整を容易に行うことができる。その結果、従来における、タッチ重さを軽くする場合の重りの切削や、重くする場合の調整用の埋設孔および重りの増設や位置決定が、まったく不要になり、そのようなタッチ重さを調整するための煩雑な作業が省略される分、鍵盤の製造コストをさらに削減することができる。また、タッチ重さ調整用の埋設孔を増設する必要が無くなることで、それによる鍵盤本体の強度低下も防止できる。
【発明を実施するための最良の形態】
【００１２】
以下、本発明の一実施形態を、図面を参照しながら説明する。図１および図３は、本発明を適用したグランドピアノの鍵盤（白鍵）を示している。同図に示すように、この鍵盤１は、鍵盤本体２と、鍵盤本体２の前部に取り付けられた白鍵カバー３と、鍵盤本体２の前部に取り付けられた複数の（この例では３個の）重り４などを備えている。
【００１３】
鍵盤本体２は、スプルスや松などの比較的軽量で、粘り強く、弾力性に富む木質材から成り、矩形の断面を有し、前後方向に延びている。白鍵カバー３は、アクリルなどからＬ字形に形成されており、鍵盤本体２の上面前半部および前面に、これらを覆うように接着されている。鍵盤本体２の上面中央部には中座板５ａが接着され、これらを上下方向に貫通するようにバランスピン孔５が形成されていて、このバランスピン孔５が、立設するバランスピン（図示せず）に係合することによって、鍵盤１が揺動自在に支持されている。また、鍵盤本体２の下面の前端部にはフロントピン孔６が形成されており、このフロントピン孔６が、立設するフロントピン（図示せず）に係合することによって、鍵盤１の左右の振れが防止される。
【００１４】
さらに、鍵盤本体２の上面のバランスピン孔５よりも後ろ側の位置には、キャプスタン座板８ａを介して、キャプスタンスクリュー８が取り付けられており、このキャプスタンスクリュー８上にアクション（図示せず）が載置される。以上の構成により、鍵盤１の前部を押鍵したときに、鍵盤１がバランスピンを中心として揺動するとともに、これに伴い、アクションがキャプスタンスクリュー８で突き上げられることで作動する。また、鍵盤１のタッチ重さは、アクションと鍵盤１の重さによるバランスピン回りのモーメントのバランスによって定められることになる。
【００１５】
また、鍵盤本体２には、３つの埋設孔９が形成されており、これらの埋設孔９に重り４がそれぞれ取り付けられている。これらの埋設孔９は、互いに同じ所定の径を有する丸孔であり、鍵盤本体２のバランスピン孔５よりも前側の所定位置に、前後方向に並んで配置され、側方に貫通するように形成されている。
【００１６】
図２に示すように、本発明に係る重り４は、重り取付部材１１と、この重り取付部材１１にはめ込まれた重り本体１２（複合材料）とによって構成され、全体として円柱状に形成されている。重り取付部材１１は、断面円形の挿入孔１１ａを有する、所定の径および長さの円筒状のものであり、ゴムなどの弾性材料で構成されている。
【００１７】
一方、重り本体１２は、重り取付部材１１と同じ長さと、その挿入孔１１ａにはめ込み可能な径とを有する円柱状のものである。また、重り本体１２は、鉛以外の複数種類の材料、例えば粉状のタングステンとプラスチックをブレンドした複合材料の成形品で構成されている。なお、この場合のプラスチックは、重り本体１２のベースレジンとして用いられるものであり、強靱で、耐衝撃性に優れていることや、成形性も良好であることから、ナイロンが特に好ましい。以上の構成により、重り本体１２は、弾性を有する重り取付部材１１に着脱自在にはめ込まれるとともに、そのようにして組み立てた重り４もまた、その外周を取り囲む重り取付部材１１の弾性によって、鍵盤本体２の埋設孔９に着脱自在にはめ込まれる。
【００１８】
また、重り本体１２として、複数種類の重り本体１２が用意されている。これらの複数種類の重り本体１２は、サイズおよび形状が互いに同一であるとともに、タングステンとプラスチックの配合割合を変えることにより、互いに異なる所定の比重を有するようにしたものであり、したがって、異なる所定の重さを有している。また、この場合の比重は、所要のタッチ重さを確保でき、且つ後述するタッチ重さの調整が円滑に行えるよう、鉛と同等の比重（約１１．３）を含む所定の範囲（例えば１０〜１３）内で、多段階に設定されている。
【００１９】
以上の構成の鍵盤１によれば、重り４を、ゴムなどの弾性材料から成る重り取付部材１１と、粉状のタングステンおよびプラスチックの複合材料から成る重り本体１２とから、鉛を用いることなく、無害でかつ安価に構成することができる。また、重り４を、重り取付部材１１の弾性により、鍵盤本体２の埋設孔９への単なるはめ込みによって容易に取り付けることができ、従来のかしめの場合よりも、重りの取付作業を簡素化できることで、製造コストを削減することができる。
【００２０】
また、重り４が鍵盤本体２に対して着脱自在であるとともに、重り本体１２が重り取付部材１１に対して着脱自在であるので、重さが異なる複数種類の重り本体１２の中から、所望のタッチ重さを得るのに最適な重さを有するものを選択し、すでに取り付けた重り本体１２と適宜、交換することによって、鍵盤１のタッチ重さを容易に調整することができる。
【００２１】
このタッチ重さの調整は、例えば、次のようにして行われる。すなわち、まず、各鍵盤本体２に３つの埋設孔９を、同一の配置およびサイズで形成するとともに、例えば鉛と同等の比重を有する重り本体１２を重り取付部材１１にはめ込んだ重り４を、標準重りとして各埋設孔９にはめ込んだ状態で、タッチ重さを測定する。測定されたタッチ重さが所望値と異なる場合には、１個または２個以上の重り４を埋設孔９から取り外し、さらに重り本体１２を重り取付部材１１から取り外して、適当な重さの他の重り本体１２と交換して、重り取付部材１１、さらには埋設孔９に取り付ける。以上により、所望のタッチ重さを容易に得ることができる。
【００２２】
その結果、従来における、タッチ重さを軽くする場合の重りの切削や、重くする場合の調整用の埋設孔および重りの増設や位置決定が、まったく不要になり、そのようなタッチ重さを調整するための煩雑な作業が省略される分、鍵盤１の製造コストをさらに削減することができる。また、タッチ重さ調整用の埋設孔を増設する必要が無くなることで、それによる鍵盤本体２の強度低下も防止できる。
【００２３】
なお、本発明は、説明した実施形態に限定されることなく、種々の態様で実施することができる。例えば、実施形態では、重り本体を、粉状のタングステンとナイロンなどのプラスチックとをブレンドした複合材料で構成しているが、所要の比重を確保できるものであれば、鉛以外の他の適当な材料をさらにブレンドすることが可能である。また、実施形態では、３つの埋設孔９に取り付けた重り４の重り本体１２を適宜、交換することによって、タッチ重さを調整しているが、タッチ重さの調整方法は、これに限らず、例えば、調整用の埋設孔を別個に設け、この調整用埋設孔に取り付ける重りの重り本体を選択することによって、行ってもよい。
【００２４】
さらに、実施形態はグランドピアノの鍵盤の例であるが、本発明は、アップライトピアノ、電子ピアノや鍵盤楽器玩具の鍵盤など、重りが取り付けられるすべての鍵盤に広く適用することが可能である。その他、本発明の趣旨の範囲内で、細部の構成を変更することが可能である。
【図面の簡単な説明】
【００２５】
【図１】本発明を適用したグランドピアノの鍵盤を示す斜視図である。
【図２】図１の鍵盤の重りを示す分解斜視図である。
【図３】図１の鍵盤の前部を示す部分拡大側面図である。
【図４】従来の鍵盤の、図３と同様の部分拡大側面図である。
【符号の説明】
【００２６】
１  鍵盤
２  鍵盤本体
４  重り
９  埋設孔
１２  重り本体（複合材料）
【図１】
2006126860.tif 000003
【図２】
2006126860.tif 000004
【図３】
2006126860.tif 000005
【図４】
2006126860.tif 000006